Podtech/llm-jp-corpus-v4-ja_patent huggingface dataset:
【手続補正書】
【提出日】平成16年10月14日(2004.10.14)
【手続補正１】
【補正対象書類名】明細書
【補正対象項目名】特許請求の範囲
【補正方法】変更
【補正の内容】
【特許請求の範囲】
【請求項１】
処理を実行する実行手段と、
処理対象情報に関する通知の通知先を指定する通知先指定手段と、
通知の契機を設定する契機設定手段と、
前記通知の契機から通知を実行するまでの時間を設定する時間設定手段と、
前記契機設定手段により設定された通知の契機から前記時間設定手段により設定された時間後に、前記通知先指定手段により指定された通知先に対して通知を行なう通知手段とを備えることを特徴とする情報処理装置。
【請求項２】
処理対象情報に関する通知の媒体を選択する通知媒体選択手段を有し、前記通知手段は、当該通知媒体選択手段により選択された通知媒体により通知を行なうことを特徴とする請求項１記載の情報処理装置。
【請求項３】
前記実行手段が処理対象情報の印刷を実行することを特徴とする請求項１記載の情報処理装置。
【請求項４】
前記実行手段が処理対象情報の送信を実行することを特徴とする請求項１記載の情報処理装置。
【請求項５】
前記通知の契機が前記実行手段による処理対象情報の実行の成功であることを特徴とする請求項１記載の情報処理装置。
【請求項６】
前記通知の契機が前記実行手段による処理対象情報の実行の失敗であることを特徴とする請求項１記載の情報処理装置。
【請求項７】
処理対象情報を受信する受信手段と、
該受信手段により受信した処理対象情報を記憶する処理対象情報記憶手段と、
該処理対象情報記憶手段に記憶された処理対象情報にアクセスするアクセス手段とを備え、
前記通知の契機が前記アクセス手段によるアクセスの実行であることを特徴とする請求項１記載の情報処理装置。
【請求項８】
前記通知の契機が前記アクセス手段による処理対象情報の送信のためのアクセスの実行であることを特徴とする請求項７記載の情報処理装置。
【請求項９】
前記通知の契機が前記アクセス手段による処理対象情報の印刷のためのアクセスの実行であることを特徴とする請求項７記載の情報処理装置。
【請求項１０】
前記通知の契機が前記アクセス手段による処理対象情報の削除のためのアクセスの実行であることを特徴とする請求項７記載の情報処理装置。
【請求項１１】
複数の前記通知について、各通知に関する設定内容をリスト表示するリスト表示手段を有することを特徴とする請求項１記載の情報処理装置。
【請求項１２】
処理を実行する実行工程と、
処理対象情報に関する通知の通知先を指定する通知先指定工程と、
通知の契機を設定する契機設定工程と、
前記通知の契機から通知を実行するまでの時間を設定する時間設定工程と、
前記契機設定工程により設定された通知の契機から前記時間設定工程により設定された時間後に、前記通知先指定工程により指定された通知先に対して通知を行なう通知工程とを備えることを特徴とする情報処理方法。
【請求項１３】
処理を実行する実行工程と、
処理対象情報に関する通知の通知先を指定する通知先指定工程と、
通知の契機を設定する契機設定工程と、
前記通知の契機から通知を実行するまでの時間を設定する時間設定工程と、
前記契機設定工程により設定された通知の契機から前記時間設定工程により設定された時間後に、前記通知先指定工程により指定された通知先に対して通知を行なう通知工程とを備えるプログラムを記憶したことを特徴とするプログラム記憶可能な記憶媒体。
【手続補正書】
【提出日】平成17年6月30日(2005.6.30)
【手続補正１】
【補正対象書類名】明細書
【補正対象項目名】特許請求の範囲
【補正方法】変更
【補正の内容】
【特許請求の範囲】
【請求項１】
バーコードのバーを形成する装置において、
媒体上に複数の異なるサイズのスポットを生じる手段、
バーを生じるため、前記媒体上の前記スポットの位置を制御する手段、
形成するバーの前記媒体の特性に関する情報を供給する手段、
所望のバーコード特性を指定する情報を供給する手段、及び、
所望のバーコード幅を有するバーを生じるように、バーの何れの縁部において、異なるスポットサイズを配置するため、前記媒体特性の情報とバーコード特性を使用する手段を備えることを特徴とする装置。
【請求項２】
請求項１に記載した装置であって、前記使用する手段は、スポットサイズを制御するため、光の強度を変化させる手段を含むことを特徴とする装置。
【請求項３】
請求項１に記載した装置であって、前記使用する手段は、スポットサイズを制御するため、照射時間を変化させる手段を含むことを特徴とする装置。
【請求項４】
請求項１に記載した装置であって、前記使用する手段は、スポットサイズを制御するため、励起電圧を変化させる手段を含むことを特徴とする装置。
【請求項５】
請求項１に記載した装置であって、前記使用する手段は、スポットサイズを制御するため、パルス幅を変化させる手段を含むことを特徴とする装置。
【請求項６】
請求項１に記載した装置であって、前記使用する手段は、同じ領域により多くのスポットを集中するため、前記スポットの印刷位置を遅らせる手段を含むことを特徴とする装置。
【請求項７】
請求項１に記載した装置であって、前記使用する手段は、同じ領域により多くのスポットを集中するため、前記スポットの印刷位置を進める手段を含むことを特徴とする装置。
【請求項８】
請求項１に記載した装置であって、前記使用する手段は、少なくとも２つの平行な側面を有するバーを生じるように、スポットサイズを制御することを特徴とする装置。
【請求項９】
請求項８に記載した装置であって、前記使用する手段は、少なくとも４つの平行な側面を有するバーを生じるように、スポットサイズを制御することを特徴とする装置。
【請求項１０】
請求項９に記載した装置であって、前記使用する手段は、正確な長さを有するバーを生じるように、スポットサイズを制御することを特徴とする装置。
【請求項１１】
請求項８に記載した装置であって、前記使用する手段は、複数の滑らかな縁部を有するバーを生じるように、スポットサイズを制御することを特徴とする装置。
【請求項１２】
請求項８に記載した装置であって、前記使用する手段は、隣接するバー間の正確な距離を維持することを特徴とする装置。
【請求項１３】
請求項８に記載した装置であって、前記使用する手段は、隣接するバー間の距離を一定にすることを特徴とする装置。
【請求項１４】
バーコードのバーを形成する方法において、
媒体上に異なるサイズのスポットを生じ、
バーを生じるため、前記媒体上の前記スポットの位置を制御し、
形成するバーの情報を供給し、及び、
所望のバー幅を有するバーを生じるように、スポットサイズを制御するため供給された情報と特性を使用する
ステップを備えることを特徴とする方法。
【請求項１５】
請求項１４に記載した方法であって、前記使用するステップは、少なくとも２つの平行な側面を有するバーを生じるように、スポットサイズを制御することを特徴とする方法。
【請求項１６】
請求項１４に記載した方法であって、前記使用するステップは、少なくとも４つの平行な側面を有するバーを生じるように、スポットサイズを制御することを特徴とする方法。
【請求項１７】
請求項１４に記載した方法であって、前記使用するステップは、正確な長さを有するバーを生じるように、スポットサイズを制御することを特徴とする方法。
【請求項１８】
請求項８に記載した方法であって、前記使用するステップは、複数の平行な側面を有するバーを生じるように、スポットサイズを制御することを特徴とする方法。
【請求項１９】
請求項１４に記載した方法であって、前記使用するステップは、隣接するバー間の正確な距離を維持することを特徴とする方法。
【請求項２０】
請求項１４に記載した方法であって、前記使用するステップは、隣接するバー間の距離を一定にすることを特徴とする方法。
【手続補正２】
【補正対象書類名】図面
【補正対象項目名】図１
【補正方法】変更
【補正の内容】
【図１】
1999120274.tif 000001
【手続補正３】
【補正対象書類名】図面
【補正対象項目名】図２
【補正方法】変更
【補正の内容】
【図２】
1999120274.tif 000002
【手続補正４】
【補正対象書類名】図面
【補正対象項目名】図３
【補正方法】変更
【補正の内容】
【図３】
1999120274.tif 000003
【手続補正書】
【提出日】平成16年12月21日(2004.12.21)
【手続補正１】
【補正対象書類名】明細書
【補正対象項目名】特許請求の範囲
【補正方法】変更
【補正の内容】
【特許請求の範囲】
【請求項１】
汚泥の脱水を可能とする筒状の濾体電極を周囲に絶縁させて設け備え、分割し各々相互に絶縁させて設ける分割電極を円錐状に結合させて備える分割円錐電極を上記濾体電極の内面に所定の間隔を設けて挿入し収納させて電極対或いは電極間対を構成させ、三相交流電流の配線各々の所定位置其々に半導体（整流手段）を接続させて設け備え且つ上記電流各々を整流させ、その整流電流各々を上記分割円錐電極の分割電極其々個々個別に接続させて上記整流電流其々を順次上記分割電極の其々の分割電極に供給させる電極回路を構成させ、一方備える上記濾体電極に逆流防止手段（半導体）其々を個別に接続させて設け備え且つ上記濾体電極に流れる上記電流各々を順次個別に整流させ、その整流電流個々を上記三相交流電流の配線各々に備える半導体個々の整流方向上流位置に接続させ、上記濾体電極と上記分割円錐電極に形成される電極間の間隙に汚泥を円錐状方向に供給させ圧搾させると共に電流を通し、上記電極間の間隙に電気浸透脱水作用を強く働かせる三相交流電気浸透電極回路を構成させる電極構造及び三相交流電気浸透電極回路或いは三相交流電気浸透脱水方式とその装置。
【請求項２】
請求項１に記載の分割円錐電極に有って、分割円錐電極の芯或いは回転芯に絶縁させて軸を設け、その軸を駆動或いは回転可能に支持させ、また上記軸に加熱手段或いは冷却手段を備えて構成させる電極構造及び三相交流電気浸透電極回路或いは三相交流電気浸透脱水方式とその装置。
【請求項３】
請求項１、２に記載の分割円錐電極に有って、上記分割円錐電極或いはその軸に上記濾体電極の内面を掻き取るスクレーパーを絶縁させて設け備えて構成させる電極構造及び三相交流電気浸透電極回路或いは三相交流電気浸透脱水方式とその装置。
【請求項４】
請求項１、２、３に記載の濾体電極に有って、上記濾体電極の外表面に水洗手段及び掻き取り手段を備えて構成させる電極構造及び三相交流電気浸透電極回路或いは三相交流電気浸透脱水方式とその装置。
【請求項５】
請求項１、２、３、に記載の濾体電極に有って、上記濾体電極の外表面に負圧吸引手段或いは真空吸引手段を備えて構成させる電極構造及び三相交流電気浸透電極回路或いは三相交流電気浸透脱水方式とその装置。
【請求項６】
請求項１、２、３、５に記載の濾体電極に有って、上記濾体電極を筒状方向に分割させて結合し、上記濾体電極の内面に脱水濾布を配置備えて構成させる電極構造及び三相交流電気浸透電極回路或いは三相交流電気浸透脱水方式とその装置。
【手続補正書】
【提出日】平成17年1月19日(2005.1.19)
【手続補正１】
【補正対象書類名】明細書
【補正対象項目名】特許請求の範囲
【補正方法】変更
【補正の内容】
【特許請求の範囲】
【請求項１】
（ａ）  ノズルプレート上に配列された複数の印刷ノズルを備えるインクジェットプリンタ用のプリントヘッドを提供するステップと、
（ｂ）  前記印刷ノズルにおけるコンタミナントを、前記ノズルプレートの一端に向かって、前記プリントヘッドにおけるノズル配列方向に沿って押しやるような仕方で前記印刷ノズルを噴射するステップと、
を含むことを特徴とするインクジェット・プリントヘッドの整備方法。
【請求項２】
前記印刷ノズルを噴射する前記ステップは、連続した前記印刷ノズルを噴射するステップを含むことを特徴とする請求項１に記載のインクジェット・プリントヘッドの整備方法。
【請求項３】
ビットマップを用いて前記印刷ノズルの噴射を制御するステップをさらに含むことを特徴とする請求項１に記載のインクジェット・プリントヘッドの整備方法。
【請求項４】
前記ビットマップを生成して特定の故障モードからの復旧を行うステップをさらに含むことを特徴とする請求項３に記載のインクジェット・プリントヘッドの整備方法。
【請求項５】
前記印刷ノズルのうちのどれを整備する必要があるかに応じて前記ビットマップを生成するステップをさらに含むことを特徴とする請求項３に記載のインクジェット・プリントヘッドの整備方法。
【請求項６】
前記印刷ノズルの状態に関するデータに応じて前記ビットマップを生成するステップをさらに含むことを特徴とする請求項３に記載のインクジェット・プリントヘッドの整備方法。
【請求項７】
タイリング技術を用いて前記ビットマップを作り上げるステップをさらに含むことを特徴とする請求項３に記載のインクジェット・プリントヘッドの整備方法。
【請求項８】
（ａ）  複数の印刷ノズル、及び、プリントヘッドの縁に配置された、前記印刷ノズルよりも大きい少なくとも１つの下水ノズルを備えるインクジェットプリンタ用のプリントヘッドを提供するステップと、
（ｂ）  前記プリントヘッドに関連する負圧であって、前記印刷ノズルにおけるコンタミナントをプリントヘッドの縁に向かって押しやるような負圧を作り出すような仕方で、印刷ノズルを噴射するステップと、
（ｃ）  前記少なくとも１つの下水ノズルを噴射して前記コンタミナントをインクジェットプリンタのインクつぼ内に吐出するステップと、
を含むことを特徴とするインクジェット・プリントヘッドの整備方法。
【請求項９】
前記少なくとも１つの下水ノズルは、前記プリントヘッドの互いに対向する両端部に配置された下水ノズルを含んでいることを特徴とする請求項８に記載のインクジェット・プリントヘッドの整備方法。
【請求項１０】
ワイパーを用いて毛管作用でインクを前記下水ノズルから出し、次に印刷ノズルをワイピングするステップをさらに含むことを特徴とする請求項８に記載のインクジェット・プリントヘッドの整備方法。
【手続補正２】
【補正対象書類名】明細書
【補正対象項目名】００１３
【補正方法】変更
【補正の内容】
【００１３】
本発明の一実施形態によるインクジェット・プリントヘッドの整備方法は、ノズルプレート上に配列された複数の印刷ノズルを備えるインクジェットプリンタ用のプリントヘッドを提供するステップと、前記印刷ノズルにおけるコンタミナントを、ノズルプレートの一端に向かって、プリントヘッドにおけるノズル配列方向に沿って押しやるような仕方で前記印刷ノズルを噴射するステップとを含んでいる。好適な実施形態において、連続した印刷ノズルを噴射することによって、コンタミナントが動かされる。好適な実施形態において、本方法は、さらに、ビットマップを用いて印刷ノズルの噴射を制御するステップを含む。好適な実施形態において、本方法は、さらに、ビットマップを生成して特定の故障モードからの復旧を行うステップを含む。好適な実施形態において、本方法は、さらに、印刷ノズルのうちのどれを整備する必要があるかに依存してビットマップを生成するステップを含む。好適な実施形態において、本方法は、さらに、ノズルの状態に関するデータに応じてビットマップを動的に（又はその他の方法で）生成するステップを含む。
【手続補正書】
【提出日】平成16年6月25日(2004.6.25)
【手続補正１】
【補正対象書類名】明細書
【補正対象項目名】特許請求の範囲
【補正方法】変更
【補正の内容】
【特許請求の範囲】
【請求項１】
耐水性支持体上にインク受容層を有しているインクジェット記録材料において、該インク受容層が、無機微粒子を含有するインク吸収層（Ａ）からなっており、含イオウ有機化合物、糖類、及びジシアンジアミド系樹脂の少なくとも１種の固形分濃度が該インク吸収層Ａの上層部が下層部よりも高いことを特徴とするインクジェット記録材料。
【請求項２】
耐水性支持体上にインク受容層を有しているインクジェット記録材料において、該インク受容層が、無機微粒子を含有するインク吸収層（Ａ）、及び含イオウ有機化合物、糖類、及びジシアンジアミド系樹脂の少なくとも１種を含有する上部層（Ｂ）を有することを特徴とするインクジェット記録材料。
【手続補正書】
【提出日】平成16年3月25日(2004.3.25)
【手続補正１】
【補正対象書類名】明細書
【補正対象項目名】特許請求の範囲
【補正方法】変更
【補正の内容】
【特許請求の範囲】
【請求項１】
キャリッジガイド軸に摺動可能に挿通され、プラテンの軸方向に沿って走行可能で、且つ上記プラテンに接離する方向に移動可能に設けられ、リアフレームに当接するスライダを有し、更にリボンカートリッジを装着可能なキャリッジと、
このキャリッジの走行方向に延在し、フレームに設けられたラックと、
このラックに連結され、上記キャリッジに設置されたリボン巻取軸を駆動するリボン輪列とを有し、
上記キャリッジの走行に伴い、上記ラック及び上記リボン輪列を介して上記リボン巻取軸を駆動させ、上記リボンカートリッジのリボンを巻き取る記録装置において、
上記ラックは、上記キャリッジが上記プラテンに接離する方向に移動可能に構成され、
このラックは、ラック歯が形成されたラック本体と、このラック本体に一体成形された補強部とを備えて樹脂材料から構成され、上記ラック本体と上記補強部との間に、キャリッジの走行方向に延在するとともに、上記スライダを挿通可能な長尺開口が形成されたことを特徴とする記録装置。
【請求項２】
上記ラックは、ラック本体の一端部における補強部に対応した位置にて、フレームに弾性支持されたことを特徴とする請求項１に記載の記録装置。
【手続補正２】
【補正対象書類名】明細書
【補正対象項目名】０００８
【補正方法】変更
【補正の内容】
【０００８】
【課題を解決するための手段】
請求項１に記載の発明は、キャリッジガイド軸に摺動可能に挿通され、プラテンの軸方向に沿って走行可能で、且つ上記プラテンに接離する方向に移動可能に設けられ、リアフレームに当接するスライダを有し、更にリボンカートリッジを装着可能なキャリッジと、このキャリッジの走行方向に延在し、フレームに設けられたラックと、このラックに連結され、上記キャリッジに設置されたリボン巻取軸を駆動するリボン輪列とを有し、
上記キャリッジの走行に伴い、上記ラック及び上記リボン輪列を介して上記リボン巻取軸を駆動させ、上記リボンカートリッジのリボンを巻き取る記録装置において、上記ラックは、上記キャリッジが上記プラテンに接離する方向に移動可能に構成され、このラックは、ラック歯が形成されたラック本体と、このラック本体に一体成形された補強部とを備えて樹脂材料から構成され、上記ラック本体と上記補強部との間に、キャリッジの走行方向に延在するとともに、上記スライダを挿通可能な長尺開口が形成されたことを特徴とするものである。


【手続補正３】
【補正対象書類名】明細書
【補正対象項目名】０００９
【補正方法】変更
【補正の内容】
【０００９】
請求項２に記載の発明は、請求項１に記載の発明において、上記ラックは、ラック本体の一端部における補強部に対応した位置にて、フレームに弾性支持されたことを特徴とするものである。


【手続補正４】
【補正対象書類名】明細書
【補正対象項目名】００１０
【補正方法】削除
【補正の内容】
【手続補正５】
【補正対象書類名】明細書
【補正対象項目名】００１２
【補正方法】変更
【補正の内容】
【００１２】
リボン輪列に連結するラックが、キャリッジがプラテンに接離する方向に移動可能に構成されたことから、プラテンギャップ調整のためにキャリッジがプラテンに接離する方向に大きく移動した場合にも、小さく移動した場合にも、上記ラックは、リボン輪列に連結した状態でキャリッジの移動に追随する。このため、リボン輪列とラックとの連結を常に良好に確保できる。さらにラックには、ラック本体と補強部との間に、キャリッジのスライダが挿通可能な長尺開口が形成されていることから、キャリッジがキャリッジガイド軸を中心に回動することを防止することができる。


【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００７１
【補正方法】変更
【補正の内容】
【００７１】
【発明の効果】
以上のように、本発明に係る記録装置によれば、キャリッジガイド軸に摺動可能に挿通され、プラテンの軸方向に沿って走行可能で、且つ上記プラテンに接離する方向に移動可能に設けられ、リアフレームに当接するスライダを有し、更にリボンカートリッジを装着可能なキャリッジと、このキャリッジの走行方向に延在し、フレームに設けられたラックと、このラックに連結され、上記キャリッジに設置されたリボン巻取軸を駆動するリボン輪列とを有し、上記キャリッジの走行に伴い、上記ラック及び上記リボン輪列を介して上記リボン巻取軸を駆動させ、上記リボンカートリッジのリボンを巻き取る記録装置において、上記ラックは、上記キャリッジが上記プラテンに接離する方向に移動可能に構成され、このラックは、ラック歯が形成されたラック本体と、このラック本体に一体成形された補強部とを備えて、樹脂材料から構成され、上記ラック本体と上記補強部との間に、キャリッジの走行方向に延在するとともに、上記スライダを挿通可能な長尺開口が形成されたことから、リボンカートリッジのリボン巻き取りのためのリボン輪列と、フレーム側に設けられたラックとの連結を常に良好に確保でき、キャリッジがキャリッジガイド軸を中心に回動することを防止することができる。
【手続補正書】
【提出日】平成16年3月5日(2004.3.5)
【手続補正１】
【補正対象書類名】明細書
【補正対象項目名】特許請求の範囲
【補正方法】変更
【補正の内容】
【特許請求の範囲】
【請求項１】
レリースレバーの移動によりレリース軸を回動させて、シート使用モードを切り換えるレリース機構を備えた記録装置において、
上記レリース機構は、外装体に設けられた操作パネルの操作によりレリース駆動モータを駆動し、この駆動により、レリースレバーを移動させてレリース軸を回動し、シート使用モードを切り換えるよう構成され、
上記レリースレバーには、上記外装体の外部から目視可能なインジケータ部が形成され、このインジケータ部が現在のシート使用モードを表示し得るよう構成されたことを特徴とする記録装置。
【請求項２】
レリースレバーの移動によりレリース軸を回動させて、シート使用モードを切り換えるレリース機構を備えた記録装置において、
上記レリースレバーは、レリース軸を回動させる動作部を備えたベース部材と、このベース部材に着脱可能に設けられた交換部材とを有して成り、
上記交換部材が、外装体の開口から外方へ突出して上記レリースレバーを移動させるつまみ部材と、上記外装体の上記開口を閉塞する閉塞部材とのいずれかであることを特徴とする記録装置。
【請求項３】
上記閉塞部材は、外装体の外部から目視可能で、且つシート使用モードを表示し得るインジケータ部であることを特徴とする請求項２に記載の記録装置。
【手続補正２】
【補正対象書類名】明細書
【補正対象項目名】００１０
【補正方法】変更
【補正の内容】
【００１０】
【課題を解決するための手段】
請求項１に記載の発明は、レリースレバーの移動によりレリース軸を回動させて、シート使用モードを切り換えるレリース機構を備えた記録装置において、上記レリース機構は、外装体に設けられた操作パネルの操作によりレリース駆動モータを駆動し、この駆動により、レリースレバーを移動させてレリース軸を回動し、シート使用モードを切り換えるよう構成され、上記レリースレバーには、上記外装体の外部から目視可能なインジケータ部が形成され、このインジケータ部が現在のシート使用モードを表示し得るよう構成されたことを特徴とするものである。


【手続補正３】
【補正対象書類名】明細書
【補正対象項目名】００６５
【補正方法】変更
【補正の内容】
【００６５】
【発明の効果】
請求項１に記載の発明に係る記録装置によれば、レリース機構が、自動レリース機構であり、レリースレバーには、外装体の外部から目視可能なインジケータ部が形成され、このインジケータ部が現在のシート使用モードを表示し得るよう構成されたことから、シート使用モードが、操作パネル上の表示以外にも表示されることとなり、現在のシート使用モードを瞬時且つ容易に把握できる。
【手続補正書】
【提出日】平成16年6月15日(2004.6.15)
【手続補正１】
【補正対象書類名】明細書
【補正対象項目名】発明の名称
【補正方法】変更
【補正の内容】
【発明の名称】記録装置、印刷データ生成装置、印刷モード設定処理システム、印刷モードの設定を支援するシステム、および、プログラムを記録した記録媒体
【手続補正２】
【補正対象書類名】明細書
【補正対象項目名】特許請求の範囲
【補正方法】変更
【補正の内容】
【特許請求の範囲】
【請求項１】
印刷データを生成する装置から送られる印刷データに基づいて用紙上に画像を形成する記録装置において、
画像形成のために当該記録装置に装填される用紙の種類を示す情報を取得する手段と、
前記取得した用紙の種類を示す情報を記憶する手段と、
要求があると、前記取得した用紙の種類を示す情報を出力する手段とを有することを特徴とする記録装置。
【請求項２】
請求項１に記載の記録装置において、
前記用紙の種類を示す情報を取得する装置は、用紙梱包材に付されている用紙情報記録部に記録される情報を読み取る装置を有することを特徴とする記録装置。
【請求項３】
用紙上に画像を形成する記録装置と接続され、該記録装置に送るための印刷データを生成する装置において、
選択された用紙の種類を示す情報に基づいて印刷の態様を設定するための印刷モードの設定処理を行う手段と、
設定された印刷モードに従って印刷データを生成して、前記記録装置に送る手段と、を備え、
前記印刷モードの設定処理を行う手段は、前記記録装置から用紙の種類を示す情報を取得し、かつ、前記記録装置から印刷に用いるインクを特定する情報を取得して、当該取得した用紙の種類を示す情報と、当該取得したインクを特定する情報とに基づいて印刷モードの設定を行うことを特徴とする印刷データ生成装置。
【請求項４】
請求項３に記載の印刷データ生成装置において、
他システムとネットワークを介して通信し、データの授受を行うための通信手段をさらに備え、
該通信手段は、印刷モードの設定処理に必要な情報を受信する機能を有することを特徴とする印刷データ生成装置。
【請求項５】
用紙上に画像を形成する記録装置と接続され、該記録装置の印刷モードの設定を行う印刷モード設定処理システムにおいて、
前記記録装置から用紙の種類を示す情報を取得する手段と、
前記取得した用紙の種類を示す情報に基づいて印刷の態様を設定するためのモード設定処理を行う手段と、
用紙の種類の選択入力を受け付ける手段と、
前記印刷モードの設定結果と、用紙の種類の選択入力を受け付けるための領域とを表示装置に表示させる手段と、を備え、
前記モード設定処理を行う手段は、用紙の種類の選択入力を受け付ける手段が選択入力を受け付けると、当該受け付けた用紙の種類を示す情報に基づいてモード設定処理を行い、
前記表示させる手段は、前記取得した用紙の種類を示す情報をユーザ可読の表示態様で前記用紙の種類の選択入力を受け付けるための領域に表示させること
を特徴とする印刷モード設定処理システム。
【請求項６】
請求項５に記載の印刷モード設定処理システムにおいて、
他システムとネットワークを介して通信し、データの授受を行うための通信手段をさらに備え、該通信手段は、印刷モードの設定処理に必要な情報を受信する機能を有することを特徴とする印刷モード設定処理システム。
【請求項７】
表示装置および印刷装置にそれぞれ接続されるコンピュータにより構成される、印刷モードの設定を支援するシステムであって、
前記記録装置から用紙の種類を示す情報を取得する手段と、
前記表示装置に、印刷モードを設定するための画面を表示させる手段とを備え、
前記印刷モードを設定するための画面を表示させる手段は、前記用紙の種類を示す情報が取得されている場合、当該取得した用紙の種類を示す情報をユーザ可読の表示態様で前記画面に表示させること
を特徴とする印刷モード設定支援システム。
【請求項８】
請求項７に記載の印刷モード設定支援システムにおいて、
前記印刷モードを設定するための画面を表示させる手段は、前記取得された用紙の種類を示す情報が、印刷モードの設定において対応可能な用紙の種類を示す情報とは異なる場合、当該用紙の種類を示す情報の入力を促すメッセージを表示装置に表示させること
を特徴とする印刷モード設定支援システム。
【請求項９】
表示装置および印刷装置にそれぞれ接続されるコンピュータに、印刷モードの設定支援を行わせるプログラムを記録した記録媒体であって、
前記プログラムは、
前記記録装置から用紙の種類を示す情報を取得する処理と、
前記表示装置に、印刷モードを設定するための画面を表示させる処理とを前記コンピュータに行わせ、かつ、
前記印刷モードを設定するための画面を表示させる際に、前記用紙の種類を示す情報が取得されている場合、当該取得した用紙の種類を示す情報をユーザ可読の表示態様で前記画面に表示させること
を特徴とするプログラムを記録した記録媒体。
【手続補正書】
【提出日】平成17年5月28日(2005.5.28)
【手続補正１】
【補正対象書類名】明細書
【補正対象項目名】０００３
【補正方法】変更
【補正の内容】
【０００３】  接着剤として間にグラスファイバーとグラスウールを両面に一層ずつ敷き詰め不燃結着剤で圧着している。
【手続補正２】
【補正対象書類名】明細書
【補正対象項目名】００１５
【補正方法】変更
【補正の内容】
【００１５】  中心部格子状針金網一層、その両側にグラスファイバー一層、更にその両側にグラスウール一層、表裏上より不燃結着剤をスプレーする。更にその両側に精細スチールネットを貼り上から圧着する。表面を滑し、ステンレススティール板を表裏両面に装着する。乾燥して出来上がり。淵整え、不燃樹脂を淵に塗る。
【手続補正３】
【補正対象書類名】図面
【補正対象項目名】図１
【補正方法】変更
【補正の内容】
【図１】
2005199676.tif 000001
【手続補正書】
【提出日】平成17年5月24日(2005.5.24)
【手続補正１】
【補正対象書類名】明細書
【補正対象項目名】特許請求の範囲
【補正方法】変更
【補正の内容】
【特許請求の範囲】
【請求項１】
排煙脱硝装置の脱硝触媒の再生方法において、実質的に塩素及び洗浄成分を含有しないで常温の再生水の中に浸漬した後、取り出して水を切る再生工程と、前記再生工程で使用した再生水を、重金属処理工程を経ることなく通常の廃水処理設備で処理する処理工程とを具備することを特徴とする脱硝触媒再生方法。
【請求項２】
請求項１において、前記脱硝触媒の再生水の中への浸漬を発泡が終了するまで行った後取り出すことを特徴とする脱硝触媒再生方法。
【請求項３】
請求項１又は２において、前記脱硝触媒を再生水の中から取り出した後、水洗することを特徴とする脱硝触媒再生方法。
【請求項４】
請求項１〜３の何れかにおいて、前記再生工程で使用された再生水を、そのまま複数回他の脱硝触媒の再生工程で繰り返し使用した後、前記処理工程で処理することを特徴とする脱硝触媒再生方法。
【請求項５】
請求項１〜４の何れかにおいて、前記脱硝触媒を浸漬する再生水をそのまま複数回繰り返し使用した後、前記処理工程で処理することを特徴とする脱硝触媒再生方法。
【請求項６】
請求項１〜５の何れかにおいて、再生した脱硝触媒を乾燥することなく前記排煙脱硝装置にセットすることを特徴とする脱硝触媒再生方法。
【請求項７】
請求項１〜６の何れかにおいて、再生した脱硝触媒の触媒性能を確認した後、前記排煙脱硝装置にセットすることを特徴とする脱硝触媒再生方法。
【請求項８】
請求項１〜７の何れかにおいて、再生した脱硝触媒を、排ガスの送通方向が逆転するように逆向きにして前記排煙脱硝装置にセットすることを特徴とする脱硝触媒再生方法。
【手続補正２】
【補正対象書類名】明細書
【補正対象項目名】００１７
【補正方法】変更
【補正の内容】
【００１７】
かかる本発明の第１の態様は、排煙脱硝装置の脱硝触媒の再生方法において、実質的に塩素及び洗浄成分を含有しないで常温の再生水の中に浸漬した後、取り出して水を切る再生工程と、前記再生工程で使用した再生水を、重金属処理工程を経ることなく通常の廃水処理設備で処理する処理工程とを具備することを特徴とする脱硝触媒再生方法にある。
【手続補正３】
【補正対象書類名】明細書
【補正対象項目名】００１９
【補正方法】変更
【補正の内容】
【００１９】
本発明の第２の態様は、第１の態様において、前記脱硝触媒の再生水の中への浸漬を発泡が終了するまで行った後取り出すことを特徴とする脱硝触媒再生方法にある。
【手続補正４】
【補正対象書類名】明細書
【補正対象項目名】００２３
【補正方法】変更
【補正の内容】
【００２３】
本発明の第４の態様は、第１〜３の何れかの態様において、前記再生工程で使用された再生水を、そのまま複数回他の脱硝触媒の再生工程で繰り返し使用した後、前記処理工程で処理することを特徴とする脱硝触媒再生方法にある。
【手続補正５】
【補正対象書類名】明細書
【補正対象項目名】００２４
【補正方法】変更
【補正の内容】
【００２４】
かかる第４の態様では、脱硝触媒を再生するため、再生工程で使用された再生水を繰り返し使用することにより、水の節約及び余分な廃液を低減することができる。
本発明の第５の態様は、第１〜４の何れかの態様において、前記脱硝触媒を浸漬する再生水をそのまま複数回繰り返し使用した後、前記処理工程で処理することを特徴とする脱硝触媒再生方法にある。
かかる第５の態様では、脱硝触媒を再生するため、脱硝触媒を浸漬する再生水を繰り返し使用することにより、水の節約及び余分な廃液を低減することができる。
【手続補正６】
【補正対象書類名】明細書
【補正対象項目名】００２５
【補正方法】変更
【補正の内容】
【００２５】
本発明の第６の態様は、第１〜５の何れかの態様において、再生した脱硝触媒を乾燥することなく前記排煙脱硝装置にセットすることを特徴とする脱硝触媒再生方法にある。
【手続補正７】
【補正対象書類名】明細書
【補正対象項目名】００２６
【補正方法】変更
【補正の内容】
【００２６】
かかる第６の態様では、脱硝触媒を乾燥する乾燥工程を排除して排煙脱硝装置にセットすることができる。
【手続補正８】
【補正対象書類名】明細書
【補正対象項目名】００２７
【補正方法】変更
【補正の内容】
【００２７】
本発明の第７の態様は、第１〜６の何れかの態様において、再生した脱硝触媒の触媒性能を確認した後、前記排煙脱硝装置にセットすることを特徴とする脱硝触媒再生方法にある。
【手続補正９】
【補正対象書類名】明細書
【補正対象項目名】００２８
【補正方法】変更
【補正の内容】
【００２８】
かかる第７の態様では、再生した脱硝触媒の触媒性能を確認し、再生の効果を確認して使用することにより、脱硝性能を確実に維持することができる。
【手続補正１０】
【補正対象書類名】明細書
【補正対象項目名】００２９
【補正方法】変更
【補正の内容】
【００２９】
本発明の第８の態様は、第１〜７の何れかの態様において、再生した脱硝触媒を、排ガスの送通方向が逆転するように逆向きにして前記排煙脱硝装置にセットすることを特徴とする脱硝触媒再生方法にある。
【手続補正１１】
【補正対象書類名】明細書
【補正対象項目名】００３０
【補正方法】変更
【補正の内容】
【００３０】
かかる第８の態様では、再生した脱硝触媒を逆向きに使用することにより、実質的に脱硝に関与する部位を前回の使用状態と変更することができ、脱硝性能をさらに高く維持することができる。
【手続補正書】
【提出日】平成16年8月19日(2004.8.19)
【手続補正１】
【補正対象書類名】明細書
【補正対象項目名】特許請求の範囲
【補正方法】変更
【補正の内容】
【特許請求の範囲】
【請求項１】
被写体を撮像し，被写体像を表す画像データを出力する撮像手段，
上記撮像手段から出力された画像データによって表される被写体像を表示する表示装置，
被写体の撮像のための構図を決定するための補助線の表示位置の移動指令を入力する移動指令入力手段，
上記移動指令入力手段から入力された移動指令に応答して，上記補助線を移動して上記表示装置に表示されている被写体像上に重ねて表示するように上記表示装置を制御する表示制御手段，および
シャッタ・レリーズ・ボタンの押し下げに応答して，上記撮像手段から出力される画像データを記録媒体に記録する記録制御手段，
を備えた構図補助機能付きディジタル・スチル・カメラ。
【請求項２】
上記シャッタ・レリーズ・ボタンは，第１段階の押し下げおよび第２段階の押し下げが可能であり，
上記表示制御手段は，上記シャッタ・レリーズ・ボタンの第１段階の押し下げに応答して，上記表示装置に上記補助線の表示を行うものであり，
上記記録制御手段は，上記シャッタ・レリーズ・ボタンの第２段階の押し下げに応答して，上記撮像手段から出力される画像データを上記記録媒体に記録するものである，
請求項１に記載の構図補助機能付きディジタル・スチル・カメラ。
【請求項３】
上記補助線によって特定される領域内の画像を表す画像データにもとづいて，露光調整および焦点調整の少なくとも一方を行う調整手段，
をさらに備えた請求項１に記載の構図補助機能付きディジタル・スチル・カメラ。
【請求項４】
被写体に補助光を照射するためのストロボをさらに備え，
上記表示装置に表示される補助線がポートレート撮影用の枠であり，このポートレート撮影用の枠が，カメラ前面におけるストロボの配置位置関係と同じ関係で上記表示装置に表示されるものである，
請求項１に記載の構図補助機能付きディジタル・スチル・カメラ。
【請求項５】
被写体を撮像し，被写体像を表す画像データを出力する撮像手段，上記撮像手段から出力された画像データによって表される被写体像を表示する表示装置，およびシャッタ・レリーズ・ボタンの押し下げに応答して，上記撮像手段から出力される画像データを記録媒体に記録する記録制御手段を備えたディジタル・カメラにおいて，
被写体の撮像のための構図を決定するための補助線の表示位置の移動指令を入力し，
入力された移動指令に応答して，上記補助線を移動して，上記表示装置に表示されている被写体像上に重ねて表示するように上記表示装置を制御する，
ディジタル・スチル・カメラの動作制御方法。
【手続補正書】
【提出日】平成16年4月12日(2004.4.12)
【手続補正１】
【補正対象書類名】明細書
【補正対象項目名】請求項３
【補正方法】変更
【補正の内容】
【請求項３】
色素又は蛍光物質で核酸を標識したバクテリオファージを宿主細菌に接触させることで該標識核酸を宿主細菌に注入して細菌を染色し、この染色した状態を光学的に検出する細菌の方法において、宿主細菌に特異的でかつ上記核酸標識したバクテリオファージを含むファージ溶液を測定対象の細菌を含む試料液に添加して該バクテリオファージを細菌に接触させることで上記染色を行わせ、この溶液をろ過材でろ過して上記染色した細菌を捕捉すると共に、該溶液に含まれる色素及び／又は蛍光物質を除去した後、染色した細菌を計数することを特徴とする細菌の検出方法。
【手続補正２】
【補正対象書類名】明細書
【補正対象項目名】請求項６
【補正方法】変更
【補正の内容】
【請求項６】
請求項１ないし４のいずれかにおいて、回収液によるろ過材の洗浄あるいは回収液へのろ過材の浸漬により、該ろ過材に捕捉されている細菌を回収液中に分離回収し、この回収液中の染色細菌を光学的に検出して計数することを特徴とする細菌の検出方法。
【手続補正３】
【補正対象書類名】明細書
【補正対象項目名】００１５
【補正方法】変更
【補正の内容】
【００１５】
この提案に係わる発明は次の特徴がある。すなわち、細菌ウイルスであるファージは宿主細菌に対して特異的に結合し、菌の膜電位に依存して生細胞に対してのみその細胞内にファージＤＮＡを注入し、また注入されたファージＤＮＡは、空間的に広い細胞内で拡散（展開）するという性質を有しているために、ファージＤＮＡを色素、蛍光物質で標識しておけば、宿主細菌全体が染色されて大きな輝点を呈し、細菌の蛍光は、微少なファージ粒子と区別できる大きく明るい状態を呈する。したがって、ファージ感染により蛍光物質で標識されたファージＤＮＡが注入され染色された細菌（つまり特定の生細菌）は、この蛍光物質を媒介として短時間のうちに光学的に容易に検出できる。この利点は、蛍光物質に限らず標識物質として色素を用いた場合も同様に得られる。


【手続補正４】
【補正対象書類名】明細書
【補正対象項目名】００３０
【補正方法】変更
【補正の内容】
【００３０】
本発明において「ろ過材でろ過して除去すべき色素，蛍光物質等」としては、フリーの標識ファージの他、例えば測定対象の試料液が食品排水、パルプ排水、界面活性剤を含む河川水等に含まれる色素顔料，漂白剤，食品添加物等の色素あるいは蛍光物質が試料液由来として含まれる可能性がある。また、蛍光物質で標識したファージ液を例えば常温（通常は冷蔵保存）で３ヶ月放置した後に蛍光顕微鏡で観察すると、ファージの微細な蛍光の他に、放置前には観察されていなかった種々の大きさの蛍光を発する粒子等が観察されることがある。これは、ファージが劣化して内部のＤＮＡが露出しこれらが絡みあって大きな凝集物を作って、蛍光性の粒子（夾雑物）となって蛍光を発する点になることを推定させる。


【手続補正５】
【補正対象書類名】明細書
【補正対象項目名】００３２
【補正方法】変更
【補正の内容】
【００３２】
ろ過材に捕捉した細菌をそのまま検出する装置としては、膜上に捕捉された細菌（標識ファージにより染色された細菌）をそのまま導入する以下の装置、例えば、顕微鏡等の光学的検出手段で目視で計数するか、あるいは標識物質として蛍光色素を用いた場合、膜に励起光を照射して膜上の細菌が発した蛍光を対物レンズで集光し、この光をＣＣＤカメラ等により撮像して電気信号に変換し、画像処理装置（コンピュータ）で、予め定めた大きさ以上の輝点のもの、あるいは光強度が予め定めた閾値以上の輝点を細菌と判定することができる。発色色素の場合も同様に、膜表面画像をＣＣＤカメラ等で捕らえ、標識物質が発する色をもつ輝点について、規定値以上の大きさや発色強度が見られたものを細菌と判定することができる。
【手続補正書】
【提出日】平成17年6月24日(2005.6.24)
【手続補正１】
【補正対象書類名】明細書
【補正対象項目名】特許請求の範囲
【補正方法】変更
【補正の内容】
【特許請求の範囲】
【請求項１】
標的物質に対して特異的に結合可能なプローブが基板表面の第１の位置に結合されているプローブ結合基板において、該第１の位置を特定可能な第２の位置にマーカー物質が結合されていることを特徴とするプローブ結合基板。
【請求項２】
該マーカー物質が色素である請求項１に記載のプローブ結合基板。
【請求項３】
該マーカー物質が蛍光性物質である請求項１に記載のプローブ結合基板。
【請求項４】
該マーカー物質が蛍光色素である請求項２に記載のプローブ結合基板。
【請求項５】
該プローブが一本鎖核酸である請求項１に記載のプローブ結合基板。
【請求項６】
該プローブが一本鎖ＤＮＡである請求項５に記載のプローブ結合基板。
【請求項７】
該プローブが一本鎖ＲＮＡである請求項５に記載のプローブ結合基板。
【請求項８】
該プローブが一本鎖ＰＮＡ（ペプチド核酸）である請求項５に記載のプローブ結合基板。
【請求項９】
標的物質に対して特異的に結合可能であり、且つ基板表面が担持している第１の官能基に対して結合可能な第２の官能基を有するプローブを含む液を該基板表面の第１の位置に供給し、該プローブを該基板表面の第１の位置に結合させる工程を有するプローブ結合基板の製造方法において、該第１の官能基と直接若しくは間接的に結合可能な第３の官能基を有するマーカー物質を含む液を該基板表面の第２の位置に供給し、該マーカー物質を該基板表面の該第２の位置に結合させる工程を有し、該第２の位置が該第１の位置を特定可能な位置であることを特徴とするプローブ結合基板の製造方法。
【請求項１０】
該マーカー物質が色素である請求項９に記載の製造方法。
【請求項１１】
該マーカー物質が蛍光性物質である請求項９に記載の製造方法。
【請求項１２】
該マーカー物質が蛍光色素である請求項１０に記載の製造方法。
【請求項１３】
該第１の官能基がマレイミド基であり、該第３の官能基がチオール基である請求項９記載の製造方法。
【請求項１４】
該プローブが一本鎖核酸である請求項９に記載の製造方法。
【請求項１５】
該基板がガラス基板である請求項９に記載の製造方法。
【請求項１６】
該基板が、該第１の官能基を一方の末端に有するシランカップリング剤を他方の末端で結合したガラス基板である請求項１５に記載の製造方法。
【請求項１７】
該基板が、該第１の官能基を一方の末端に有するシランカップリング剤を他方の末端で結合したガラス基板であり、且つ該マーカー物質は、該第１の官能基と結合可能な第４の官能基を一端に有し、他端に該第３の官能基と結合可能な第５の官能基を有するリンカー物質を介在して該基板の表面に結合している請求項１５に記載の製造方法。
【請求項１８】
該第１の官能基がアミノ基であり、該第４の官能基がスクシイミド基であり、該第５の官能基がマレイミド基であり、更に該第３の官能基がチオール基である請求項１７に記載の製造方法。
【請求項１９】
該第３の官能基としてのチオール基が、該マーカー物質前駆体のアミノ基に、Ｎ−スクシイミジル−３−（２−ピリジルジチオ）プロピオネートを結合し、その後、形成されたジスルフィド（−ＳＳ−）を切断しチオール化することによって該マーカー物質に導入されたものである請求項１８に記載の製造方法。
【請求項２０】
該リンカー物質が、Ｎ−（６−マレイミドカプロキシ）スクシイミドである請求項１８に記載の製造方法。
【請求項２１】
該マーカー物質の該基板表面への供給が該マーカー物質を含む液体をインクジェット法によって吐出させることによってなされる請求項９〜２０のいずれかに記載の製造方法。
【請求項２２】
該インクジェット法がサーマルジェット法である請求項２１に記載の製造方法。
【請求項２３】
該インクジェット法がピエゾジェット法である請求項２１に記載の製造方法。
【請求項２４】
該第１の官能基がマレイミド基であって、該第２の官能基がチオール基である請求項９記載の製造方法。
【請求項２５】
該第１の官能基がエポキシ基であって、該第２の官能基がアミノ基である請求項９記載の製造方法。
【請求項２６】
該プローブを含む液を基板表面への供給が該プローブを含む液体をインクジェット法によって吐出させることによってなされる請求項９記載の製造方法。
【請求項２７】
該インクジェット法がサーマルジェット法である請求項２６に記載の製造方法。
【請求項２８】
該インクジェット法がピエゾジェット法である請求項２６に記載の製造方法。
【請求項２９】
基板表面の複数の位置に互いに独立しているプローブのスポットを有し、且つ該基板表面に該スポットの位置を特定可能な様にマーカー物質が付与されていることを特徴とするプローブアレイ。
【請求項３０】
該マーカー物質が色素である請求項２９に記載のプローブアレイ。
【請求項３１】
該マーカー物質が蛍光性物質である請求項２９に記載のプローブアレイ。
【請求項３２】
該マーカー物質が蛍光色素である請求項３０に記載のプローブアレイ。
【請求項３３】
該スポットがマトリックス状の配置されており、該マーカー物質は該マトリックスの各行、及び各列を特定可能な位置に付与されている請求項２９に記載のプローブアレイ。
【請求項３４】
サンプル中に含まれている可能性のある標的物質に対して特異的に結合するプローブを基板上に互いに独立した複数のスポットとして有し、且つ該基板表面に該スポットの位置を特定可能な様にマーカー物質が付与されているプローブアレイの各々のスポットと該サンプルとを接触させ、何れかのスポットにおける該プローブと該標的物質との反応物の有無を検出して該サンプル中の該標的物質の有無を検出する方法であって、該反応物の存在が検出された場合に、その反応物が存在するスポットの位置の、該基板表面の該マーカー物質の位置に基づいて特定する工程を有することを特徴とする標的物質の検出方法。
【請求項３５】
サンプル中に含まれている一本鎖核酸の塩基配列を特定する方法であって、該一本鎖核酸の予想される複数の塩基配列の各々に対して相補的な塩基配列を有するプローブを基板上に互いに独立した複数のスポットとして有し、且つ該基板表面に該スポットの位置を特定可能な様にマーカー物質が付与されているプローブアレイの各々のスポットと該サンプルとを接触させる工程、及び該プローブと該標的物質との反応物が形成されたスポットの位置を該基板上のマーカー物質の位置に基づき特定する工程、を有することを特徴とするサンプル中の一本鎖核酸の塩基配列の特定方法。
【請求項３６】
請求項３０に記載のプローブアレイを用いた、これらプローブに特異的に結合可能な標的物質の検出、定量方法を蛍光法により行うに際し、マーカー物質から発生する蛍光を標準の蛍光量とする標的物質の定量方法。
【手続補正書】
【提出日】平成16年6月29日(2004.6.29)
【手続補正１】
【補正対象書類名】明細書
【補正対象項目名】特許請求の範囲
【補正方法】変更
【補正の内容】
【特許請求の範囲】
【請求項１】
ドレインとゲートとが接続されたトランジスタと、接続ノードを有し且つ前記ドレインに前記接続ノードを介して第１電極が接続されたキャパシタとを有する回路部が複数段直列接続され、隣り合った２つのキャパシタの前記接続ノードは、動作時、ハイレベル／ローレベルの互い違いの電位にされるチャージポンプ回路において、
前記各キャパシタの駆動電位は、前記チャージポンプ回路の出力電圧に近い方の同一レベルの状態で固定されることを特徴とするチャージポンプ回路。
【請求項２】
ドレインとゲートとが接続されたトランジスタと、接続ノードを有し且つ前記ドレインに前記接続ノードを介して第１電極が接続されたキャパシタとを有する回路部が複数段直列接続され、隣り合った２つのキャパシタの前記接続ノードは、動作時、ハイレベル／ローレベルの互い違いの電位にされるチャージポンプ回路において、
前記各キャパシタの接続ノードは、前記チャージポンプ回路がスタンド・バイ時には、前記チャージポンプ回路の出力電圧に対する逆流電流抑制用のレベルにされることを特徴とするチャージポンプ回路。
【請求項３】
ドレインとゲートとが接続されたトランジスタと、接続ノードを有し且つ前記ドレインに前記接続ノードを介して第１電極が接続されたキャパシタとを有する回路部が複数段直列接続され、隣り合った２つのキャパシタの前記接続ノードは、動作時、ハイレベル／ローレベルの互い違いの電位にされるチャージポンプ回路において、
前記各キャパシタの接続ノードの電位は、前記チャージポンプ回路が停止時において、前記チャージポンプ回路の出力電圧が正の場合には、ハイレベルに固定されることを特徴とするチャージポンプ回路。
【請求項４】
ドレインとゲートとが接続されたトランジスタと、接続ノードを有し且つ前記ドレインに前記接続ノードを介して第１電極が接続されたキャパシタとを有する回路部が複数段直列接続され、隣り合った２つのキャパシタの前記接続ノードは、動作時、ハイレベル／ローレベルの互い違いの電位にされるチャージポンプ回路において、
前記各キャパシタの接続ノードの電位は、前記チャージポンプ回路が停止時において、前記チャージポンプ回路の出力電圧が負の場合には、ローレベルに固定されることを特徴とするチャージポンプ回路。
【請求項５】
前記チャージポンプ回路が停止時に、前記チャージポンプ回路の出力電圧が所定値を維持するように制御する機構をさらに具備することを特徴とする請求項１乃至４のいずれかに記載のチャージポンプ回路。
【手続補正２】
【補正対象書類名】明細書
【補正対象項目名】０００７
【補正方法】変更
【補正の内容】
【０００７】
【課題を解決するための手段】
この発明の一視点に係るチャージポンプ回路は、ドレインとゲートとが接続されたトランジスタと、接続ノードを有し且つ前記ドレインに前記接続ノードを介して第１電極が接続されたキャパシタとを有する回路部が複数段直列接続され、隣り合った２つのキャパシタの前記接続ノードは、動作時、ハイレベル／ローレベルの互い違いの電位にされるチャージポンプ回路において、
前記各キャパシタの駆動電位は、前記チャージポンプ回路の出力電圧に近い方の同一レベルの状態で固定される。
【手続補正書】
【提出日】平成17年10月5日(2005.10.5)
【手続補正１】
【補正対象書類名】明細書
【補正対象項目名】００４５
【補正方法】変更
【補正の内容】
【００４５】
（防眩性ハードコート層用塗布液Ｃの調製）
ジペンタエリスリトールペンタアクリレートとジペンタエリスリトールヘキサアクリレートの混合物（ＤＰＨＡ、日本化薬（株）製）７５ｇ、ビス（４−メタクリロイルチオフェニル）スルフィド（ＭＰＳＭＡ、住友精化（株）製）７５ｇ、平均粒径３３ｎｍのアルミナ粒子（シーアイ化成社製）１００ｇを、４３９ｇのメチルエチルケトン／シクロヘキサノン＝５０／５０％の混合溶媒に溶解した。得られた溶液に、光重合開始剤（イルガキュア９０７、チバガイギー社製）５．０ｇおよび光増感剤（カヤキュアーＤＥＴＸ、日本化薬（株）製）３．０ｇを４９ｇのメチルエチルケトンに溶解した溶液を加えた。この溶液を塗布、紫外線硬化して得られた塗膜の屈折率は１．６０であった。さらにこの溶液に平均粒径２μｍの架橋ポリスチレン粒子（商品名：ＳＸ−２００Ｈ、綜研化学（株）製）１０ｇを添加して、高速ディスパにて５０００ｒｐｍで１時間攪拌、分散した後、孔径３０μｍのポリプロピレン製フィルターでろ過して防眩性ハードコート層の塗布液を調製した。
【手続補正２】
【補正対象書類名】明細書
【補正対象項目名】００４６
【補正方法】変更
【補正の内容】
【００４６】
（防眩性ハードコート層用塗布液Ｄの調製：比較用）
ジペンタエリスリトールペンタアクリレートとジペンタエリスリトールヘキサアクリレートの混合物（ＤＰＨＡ、日本化薬（株）製）１２５ｇ、ビス（４−メタクリロイルチオフェニル）スルフィド（ＭＰＳＭＡ、住友精化（株）製）１２５ｇを、４３９ｇのメチルエチルケトン／シクロヘキサノン＝５０／５０％の混合溶媒に溶解した。得られた溶液に、光重合開始剤（イルガキュア９０７、チバガイギー社製）５．０ｇおよび光増感剤（カヤキュアーＤＥＴＸ、日本化薬（株）製）３．０ｇを４９ｇのメチルエチルケトンに溶解した溶液を加えた。この溶液を塗布、紫外線硬化して得られた塗膜の屈折率は１．６０であった。さらにこの溶液に平均粒径２μｍの架橋ポリスチレン粒子（商品名：ＳＸ−２００Ｈ、綜研化学（株）製）１０ｇを添加して、高速ディスパにて５０００ｒｐｍで１時間攪拌、分散した後、孔径３０μｍのポリプロピレン製フィルターでろ過して防眩性ハードコート層の塗布液を調製した。
【手続補正３】
【補正対象書類名】明細書
【補正対象項目名】００６５
【補正方法】変更
【補正の内容】
【００６５】
（トリアセチルセルロースドープＡ１の調製）
トリアセチルセルロース１７．４重量部、トリフェニルフォスフェート２．６重量部、ジクロロメタン６６重量部、メタノール５．８重量部、ノルマルブタノール８．２重量部からなる原料を攪拌しながら混合して溶解し、トリアセチルセルロースドープＡ１を調製した。